(57)【要約】      （修正有）【課題】雨の侵入を防止するとともに花粉や塵埃から洗濯物を守り、被乾燥物の大きさや形によらずに装着が容易で、安価な洗濯物干しカバーを提供する。【解決手段】洗濯物干しカバーは、シート１の対向する２辺を山折し、山折近傍２を山折りに沿って縫合や溶着で線状に結合し、結合部分から山折り前の端辺までをマチ３として直線的に形成し、上方から被乾燥物４を覆う防水性または防塵性を有するシートであり、被乾燥物をかける物干し竿５と山折マチ形成部が概略直交する両端になるように被せてマチ同士を着脱可能なファスナー６で固定する。【選択図】図１
0003211020.tif 000002
【実用新案登録請求の範囲】
【請求項１】
四角形の線対称の外形形状の対向するシートの２辺を山折にし、前記山折の近傍を山折りの方向に沿って山折されたシート同士を縫製や溶着で線状に結合し、前記結合部から結合前のシートの端辺部分でマチを形成した被乾燥物を上方から覆う防水性または防塵性を有するシートであることを特徴とし被乾燥物をかける物干し竿と前記山折マチ形成部が概略直交する両端になるように被せ前記山折部分で形成されたマチ同士を着脱可能なファスナーで固定する洗濯物干しカバー。
【請求項２】
前記洗濯物干しカバーのマチ部を別部材にて縫製や融着で線状に結合して構成することを特徴とする請求項１記載の洗濯物干しカバー。
【請求項３】
前記洗濯物干しカバーのシートを防水性と透湿性を有する機能シートを用いたことを特徴とする請求項１及び請求項２記載の洗濯物干しカバー。
【考案の詳細な説明】
【技術分野】
【０００１】
本考案は、洗濯物を干すときに用いられる洗濯物干しカバーに関する。
【背景技術】
【０００２】
洗濯物は屋外の物干し竿にかけて天日干しで乾かされることが多い。しかし、洗濯物が乾燥するまでには数時間が必要で、この間に突然の雨に曝され洗濯物が濡れてしまって、洗い直しを余儀なくされることも多い。また最近は花粉症が猛威を奮っており、空中を飛来する花粉や塵埃等がアレルギー症状の引き金となることが大きな社会問題となっている。こうした花粉や塵埃等が直接人体に飛来することも多いが、屋外に干した洗濯物に付着して体内に入ることも多い。従来の無防備な洗濯物の干し方では花粉や塵埃等が付着するのは避けられないことであった。
そこで、にわか雨があったときに濡れないように、または花粉や塵埃等から洗濯物を保護するための洗濯物干しカバーをかける技術が提案された。
【先行技術文献】
【特許文献】
【０００３】
【特許文献１】特開２００３−２３０７９７号
【非特許文献】
【０００４】
【非特許文献１】洗濯物を屋根部と側面を覆う形状の洗濯物干しカバーが数種類市販されている。
【考案の概要】
【考案が解決しようとする課題】
【０００５】
特許文献１の洗濯物干しカバーは、防水性及び通気性を有する機能性シートを被乾燥物に被せて覆い対向する舌片で着脱可能に保持するものである。
これにより、急な雨や、ほこりや花粉から洗濯物を守り、下着等を人目にさらすことのなく、安価な洗濯物干しカバーとすることができる。
しかしこの従来の洗濯物干しカバーは、洗濯物ハンガーなどで洗濯物を覆うシートが前記洗濯物ハンガーで膨れてしまう。洗濯物干しカバーの前記膨れた部分を対向する舌片で着脱可能に保持するものの、部分的な隙間が生じてその部分から雨などが侵入するので両端まで十分に使うことが出来なかった。本考案が解決する洗濯物干しカバーは、洗濯物干し竿に干した洗濯物にカバーをかけて覆うもので、カバーの両端に簡単にマチを形成することで、カバーの両端の隙間を覆うことができるので、この部分からの雨や、ほこりや花粉から洗濯物を守ることができる。
他にも屋根と壁を設けた形状の洗濯物干しカバーが市販されている。しかしこの形状の洗濯物干しカバーは、洗濯物干し竿に取り付けるという制約があるので両側の側面に穴を設けて物干竿に通す必要がある。屋根部や側面を構成するのでコストがかかることと合わせて、強風の抵抗で物干し竿が飛ばされる可能性がある際には、すぐに使用を中止すべきであるが簡単に外して取り込みにくい構造となっている。本考案は洗濯物に被せるだけで両側に着脱可能なファスナーを外すだけで、強風の時など簡単に取り込むことができ、またシンプルにシートにマチを構成している洗濯物干しカバーなので安価に提供できるものである。
【課題を解決するための手段】
【０００６】
上記問題点を解決するため本考案の洗濯物干しカバーは、製作する際に直線的にシートを縫製や融着するだけでマチを形成できるものである。詳細に説明するとカバー線対称の外形形状の対向する２辺を山折にし、前記山折の近傍を山折りに沿って山折されたシート同士を縫合や溶着で線状に結合し、前記山折し結合した部分から山折りする前の端辺までをマチとして形成した。また使用する素材の原反を有効に利用するためにマチ部分は別ピースの部材を縫合や溶着をして結合してもよい。
被乾燥物を上方から覆う防水性や防塵性有するシートであることを特徴とし被乾燥物をかけた物干し竿に前記山折マチ形成部が概略直交する両端になるように被せ前記形成されたマチ同士を着脱自在にホック等のファスナーで固定する。防水性の高いシートほど洗濯物は乾きにくくなるので、比較的雨の心配ないときには透湿性に優れるシートを用いて洗濯物に塵埃を付着させないことを主目的として使うことも出来る。また防水性及び透湿性を有する機能性シートを用いた本考案の洗濯物干しカバーであれば、雨や花粉、塵埃等からの洗濯物の汚染を守りながら洗濯物を干すことができる。
【考案の効果】
【０００７】
本考案の洗濯物干しカバーは、被乾燥物を物干し竿などの支持部材にハンガーなどを介して干した時でもマチを設けているので両側の開放部も開放されることなく覆うことが出来る。このマチの形成によりハンガー等に干された洗濯物もカバーの両サイドから雨の侵入を防止するとともに花粉や塵埃等から洗濯物を守ることが出きる。またマチを設ける製作が直線に縫製や融着するだけで形成することができるのでシンプルに製作することができ安価に提供でできる。
【図面の簡単な説明】
【０００８】
【図１】（ａ）本考案の吊り下げ式の物干し具をカバーした使用外観図  （ｂ）本考案の洗濯物干しカバーのマチを正面にした外観図
【図２】（ａ）一体シートから洗濯物干しカバーのマチを形成する外観図  （ｂ）別パーツで本体シートとマチを結合する洗濯物干しカバーの外観図
【図３】（ａ）本考案の洗濯物干しカバーを物干し竿に掛け始める状態を示す外観図  （ｂ）本考案の洗濯物干しカバーを物干し竿に掛けてファスナーを留める前の外観図（ｂ）本考案の洗濯物干しカバーを物干し竿に掛けてファスナーを留めた外観図
【図４】本考案の洗濯物干しカバーの生地に防水性及び透湿性を有する機能シートを用いた際の乾燥と雨よけの概念断面図
【考案を実施するための形態】
【０００９】
洗濯物干しカバーの対向する２辺に直線状に縫製や融着によりマチを形成し、マチ部分の適当な位置に着脱自在なファスナーを設けた洗濯物干しカバーを洗濯物干し竿に干した洗濯物の両端に洗濯物干しカバーのマチがくるように洗濯物干し竿ごと洗濯物に被せて、両端のマチをホック等のファスナーで固定する。洗濯物干しカバーは前述のホック等のファスナーの固定を解除すれば簡単に取り外すことができる。
【実施例】
【００１０】
以下、添付図に従って一実施例を説明する。１は洗濯物干しカバーの生地となるシートで四角形の外形の対向する２辺をそれぞれ山折りにして山折りしたシート１同士を２縫製や溶着にて結合する。前記２の縫製または溶着から結合前のシート１の端辺までマチ３を形成する。また一体ではなく本体シート１Aと分割マチ３A及び３Bを縫製または溶着して接合しても良い。マチ３及びマチ３A、３Bには取り外し自在のファスナーを適当な配置で複数設けている。このようにつくられた洗濯物干しカバーは図３（ａ）、図３（ｂ）、図３（ｃ）のように物干し竿５に掛けられた洗濯物である被乾燥物４に被せる。図３（ａ）は物干し竿５と被乾燥物４にシート１とマチ３を形成した物干しカバーを被せている状態を示す。図３（ｂ）は物干し竿５と被乾燥物４に物干しカバーを被せてファスナー６を留める前の状態を示し、図３（ｃ）はファスナー６を留めた状態で、このまま被乾燥物４を干し続ける。被乾燥物４が乾けば留められたファスナー６を外すことで洗濯物干しカバーを容易に取り外すことができる。
洗濯物干しカバーのシート１または本体シート１Aやマチ３A、３Bに防水性及び透湿性を有する機能性シートを用いた本考案の洗濯物干しカバーであれば、図４の概念断面図に示すように雨や花粉、塵埃等からの洗濯物の汚染を守りながら洗濯物を干すことができる。
【産業上の利用可能性】
【００１１】
洗濯物を外で天日干しする家庭が多く存在するが、その際、突然の雨で濡らしたり、花粉、黄砂、塵埃による汚染を防止する対策で困っているケースが数多く存在する。知名度はまだまだ低いが洗濯物干しカバーが市販されている。市販品にはシート状のものと、屋根と洗濯物の周囲を覆う壁を一体にしたものがある。シート状のものは手軽に使用することができる反面、シートの隙間が出来、そこからの防雨や防塵が充分ではなかった。かたや、屋根と周囲に壁を設けたものは、構造上、洗濯物干し竿に両側壁を通す必要があり取り外しが煩雑であった。本考案はシート状のものにマチを簡単に形成できるので防雨や防塵性を向上させ、安価に提供でき新たな需要を見いだせる。
【符号の説明】
【００１２】
１  シート
１A  本体シート
２  縫製または溶着部
３  マチ
３A、３B  別ピースのマチ
４  被乾燥物
５  物干し竿
６  ファスナー
９  ハンガーA
１０  ハンガーB
【図１】
0003211020.tif 000003
【図２】
0003211020.tif 000004
【図３】
0003211020.tif 000005
【図４】
0003211020.tif 000006